(57)【要約】【課題】撮像画像に関するデータを確認する作業が短時間になり、煩雑な作業を軽減して作業効率を向上する。【解決手段】被検体ＩＤナンバー、氏名、生年月日などの被検体に関する第１データＤ１と、その被検体の撮像画像が撮像された撮像モードなどの撮像画像に関する第２データＤ２とを関連付けて記憶部１４が記憶し、その記憶部により関連付けて記憶された第１データＤ１と第２データＤ２とのそれぞれを対応させて表示部２１が表示する。【選択図】図３
2006014780.tif 000002
【特許請求の範囲】
【請求項１】
被検体の撮像画像を表示する医療画像システムであって、
前記被検体に関する第１データと前記被検体の前記撮像画像に関する第２データとを関連付けて記憶する記憶部と、
前記記憶部により関連付けて記憶された前記第１データと前記第２データとのそれぞれを対応させて表示する表示部と
を有する
医療画像システム。
【請求項２】
オペレータの操作に基づいて、前記記憶部が記憶する前記第１データと前記第２データとの少なくとも一方を編集する編集部
を有し、
前記表示部は、前記編集部により編集された前記第１データと前記第２データとを表示する
請求項１に記載の医療画像システム。
【請求項３】
前記記憶部は、前記第２データとして、前記撮像画像を撮像する撮像モードを少なくとも記憶し、
前記表示部は、前記撮像モード情報を前記第２データとして表示する
請求項１または２に記載の医療画像システム。
【請求項４】
前記記憶部は、前記撮像画像を前記第１データと前記第２データとに関連付けて記憶する
請求項１から３のいずれかに記載の医療画像システム。
【請求項５】
前記記憶部は、それぞれが複数因子からなる前記第１データと前記第２データとを記憶している
請求項１から４のいずれかに記載の医療画像システム。
【請求項６】
オペレータからの指示に基づいて、前記記憶部が記憶する複数因子からなる前記第１データと前記第２データとのうち、前記表示部に表示する因子を選択する選択部
を備え、
前記表示部は、前記選択部により選択された前記因子について表示する
請求項５に記載の医療画像システム。
【請求項７】
前記被検体の撮像画像は、前記被検体に送信され反射される超音波に基づいて生成されている
請求項１から６のいずれかに記載の医療画像システム。
【請求項８】
被検体に送信され反射される超音波に基づいて生成された前記被検体の撮像画像を表示する超音波診断装置であって、
前記被検体に関する第１データと前記撮像画像に関する第２データとを関連付けて記憶する記憶部と、
前記記憶部により関連付けて記憶された前記第１データと前記第２データとのそれぞれを対応させて表示する表示部と
を有する
超音波診断装置。
【請求項９】
オペレータの操作に基づいて、前記記憶部が記憶する前記第１データと前記第２データとの少なくとも一方をデータ編集する編集部
を有し、
前記表示部は、前記編集部により編集された前記第１データと前記第２データとを表示する
請求項８に記載の超音波診断装置。
【請求項１０】
前記記憶部は、前記第２データとして、前記撮像画像を撮像する撮像モードを少なくとも記憶し、
前記表示部は、前記撮像モード情報を前記第２データとして表示する
請求項８または９に記載の超音波診断装置。
【請求項１１】
前記記憶部は、前記撮像画像を前記第１データと前記第２データとに関連付けて記憶する
請求項８から１０のいずれかに記載の超音波診断装置。
【請求項１２】
前記記憶部は、それぞれが複数因子からなる前記第１データと前記第２データとを記憶している
請求項８から１１のいずれかに記載の超音波診断装置。
【請求項１３】
オペレータからの指示に基づいて、前記記憶部が記憶する複数因子からなる前記第１データと前記第２データとのうち、前記表示部に表示する因子を選択する選択部
を備え、
前記表示部は、前記選択部により選択された前記因子について表示する
請求項１２に記載の超音波診断装置。
【発明の詳細な説明】
【技術分野】
【０００１】
本発明は、医療画像システムおよび超音波診断装置に関するものである。
【背景技術】
【０００２】
医療画像システムは、被検体の撮像画像と、その撮像画像における被検体のデータとを関連付けて記憶している。医療画像システムは、被検体のデータとして、被検体ＩＤナンバー、氏名、生年月日などを記憶しており、たとえば、被検体の氏名のリストを表示し、そのリストから被検体の氏名が選択された場合、その氏名の被検体に対応した撮像画像を表示する。
【０００３】
医療画像システムとして、超音波を用いて被検体の画像を撮像する超音波診断装置がある（たとえば、特許文献１参照）。
【特許文献１】特開２００２−１１２２５４号公報
【発明の開示】
【発明が解決しようとする課題】
【０００４】
超音波診断装置は、リアルタイムな断層画像の表示が容易であるために、重用されている。そして、超音波診断装置は、Ｂモードにおいて白黒で階調表示するＢＷ（Ｂｌａｃｋ  ａｎｄ  Ｗｈｉｔｅ）モードを始め、ＣＦＭ（Ｃｏｌｏｒ  Ｆｌｏｗ  Ｍａｐｐｉｎｇ）モード，ＰＤＩ（Ｐｏｗｅｒ  Ｄｏｐｐｌｅｒ  Ｉｍａｇｉｎｇ）モード，Ｂ−Ｆｌｏｗモード，ＣＨＡ（Ｃｏｄｅｄ  Ｈａｒｍｏｎｉｃ  Ａｎｇｉｏ）モード，ＡＤ（Ａｇｅｎｔ  Ｄｅｔｅｃｔｉｏｎ）モードなど、さまざまな撮像モードを備えている。
【０００５】
しかしながら、超音波診断装置などの医療画像システムにおいては、被検体ＩＤナンバー、氏名、生年月日など、被検体に関するデータのみがリストとして表示され、その被検体の撮像画像が撮像された撮像モードが、その被検体に関するデータに対応するリストとしては表示されない。このため、被検体の撮像画像についての撮像モードを確認する場合には、たとえば、撮像画像を１つ１つ順次表示させる必要があり、このような煩雑な作業によって、撮像モードを容易に確認することができず、作業効率が低下していた。
【０００６】
また、その他に、撮像画像を撮像する際に用いた超音波探触子の種類や、撮像部位名称、撮像時間、撮像画像の印刷枚数、ビデオ録画の有無など、撮像画像に関するデータについても同様に、被検体に関するデータに対応して表示されないために、確認することが困難であった。
【０００７】
以上のように、従来の医療画像システムにおいては、被検体に関するデータのみが表示されるために、撮像画像に関するデータを確認することが困難であった。特に、超音波診断装置においては、リアルタイムに画像を容易に撮像できることや、複数の撮像モードでの撮像が可能なことなどのために、被検体の撮像画像の数が多数になって、撮像画像に関するデータを確認する作業に多大な時間を要し、作業効率が著しく低下していた。
【０００８】
したがって、本発明の目的は、煩雑な作業を軽減して作業効率を向上可能な医療画像システムおよび超音波診断装置を提供することにある。
【課題を解決するための手段】
【０００９】
上記目的を達成するために、本発明の医療画像システムは、被検体の撮像画像を表示する医療画像システムであって、前記被検体に関する第１データと前記被検体の前記撮像画像に関する第２データとを関連付けて記憶する記憶部と、前記記憶部により関連付けて記憶された前記第１データと前記第２データとのそれぞれを対応させて表示する表示部とを有する。
【００１０】
上記の本発明の医療画像システムによれば、被検体に関する第１データと撮像画像に関する第２データとを関連付けて記憶部が記憶する。そして、その記憶部により関連付けて記憶された第１データと第２データとのそれぞれを対応させて表示部が表示する。
【００１１】
上記目的を達成するために、本発明の超音波診断装置は、被検体に送信され反射される超音波に基づいて生成された前記被検体の撮像画像を表示する超音波診断装置であって、前記被検体に関する第１データと前記撮像画像に関する第２データとを関連付けて記憶する記憶部と、前記記憶部により関連付けて記憶された前記第１データと前記第２データとのそれぞれを対応させて表示する表示部とを有する。
【００１２】
上記の本発明の超音波診断装置によれば、被検体に関する第１データと撮像画像に関する第２データとを関連付けて記憶部が記憶する。そして、その記憶部により関連付けて記憶された第１データと第２データとのそれぞれを対応させて表示部が表示する。
【発明の効果】
【００１３】
本発明によれば、煩雑な作業を軽減して作業効率を向上可能な医療画像システムおよび超音波診断装置を提供することができる。
【発明を実施するための最良の形態】
【００１４】
以下より、本発明にかかる実施形態について説明する。
【００１５】
図１は、本発明にかかる実施形態の医療画像システムとしての超音波診断装置１の全体構成を示すブロック図である。
【００１６】
図１に示すように、本実施形態の超音波診断装置１は、超音波プローブ１１と、送受信部１２と、画像生成部１３と、記憶部１４と、表示部２１と、制御部３１と、操作部４１とを有する。
【００１７】
超音波プローブ１１は、アレイ状に配列されている圧電素子（図示なし）を有する。それぞれの圧電素子は、たとえば、ＰＺＴ（チタン酸ジルコン酸鉛）セラミックスなどにより構成されており、電気信号を音波に変換して送信し、そして、受信した音波を電気信号に変換する。超音波プローブ１１は、圧電素子が形成された面を被検体の表面に当接して使用される。超音波プローブ１１は、制御部３１からの指令によって送受信部１２から送信される駆動信号に基づいて、圧電素子から超音波を被検体内に送信し、被検体内から反射してくる超音波のエコーを圧電素子によって検出してエコー信号を生成する。
【００１８】
送受信部１２は、超音波プローブ１１に接続されており、制御部３１からの指令に基づいて、超音波プローブ１１に駆動信号を与え、超音波を被検体に送信させると共に、超音波プローブ１１によって生成されるエコー信号を受信して画像生成部１３に出力する。具体的には、送受信部１２は、超音波ビームを移動させて走査するように、超音波プローブ１１の圧電素子を、順次、切り替えてエコー信号を受信し、その受信したエコー信号に増幅、遅延、加算などの処理を実施して画像生成部１３に出力する。
【００１９】
画像生成部１３は、たとえば、コンピュータにより構成されており、制御部３１からの指令に基づいて、各種のデータ処理を実施する。たとえば、画像生成部１３は、制御部３１からの指令に基づいて、送受信部１２からのエコー信号を処理し、被検体の断層の画像を順次生成する。具体的には、画像生成部１３は、送受信部１２が出力するエコー信号を対数増幅した後に包絡線を検波し、Ｂモードにおいて白黒で階調表示するＢＷモードの撮像画像をフレーム毎に生成する。その他に、画像生成部１３は、エコー信号に基づいて、ＣＦＭモード，ＰＤＩモード，Ｂ−Ｆｌｏｗモード，ＣＨＡモード，ＡＤモードなどの撮像モードによる撮像画像を生成する。なお、Ｂ−Ｆｌｏｗモード，ＣＨＡモード，ＡＤモードは、造影剤を用いて撮像を行う撮像モードである。
【００２０】
記憶部１４は、たとえば、ＨＤＤ（Ｈａｒｄ  Ｄｉｓｃ  Ｄｒｉｖｅ）を有しており、制御部１７からの指令に基づいて、被検体に関する第１データＤ１と、その被検体の撮像画像に関する第２データＤ２との両者を関連付けて記憶する。また、記憶部１４は、画像生成部１３によって生成された撮像画像を、被検体に関する第１データＤ１とその被検体の撮像画像に関する第２データＤ２との両者に関連付けて記憶する。たとえば、記憶部１４は、被検体に関する第１データＤ１として、被検体ＩＤナンバー、氏名、生年月日、性別などの複数因子について、それぞれ記憶する。また、記憶部１４は、その被検体の撮像画像に関する第２データＤ２として、撮像モード、撮像時の超音波探触子の種類、撮像部位名称、撮像時間、撮像画像の印刷枚数、ビデオ録画の有無などの複数因子について、それぞれ記憶する。具体的には、「ＢＷモード」の撮像モードで被検体ＩＤナンバー「１２３４５」の被検体について撮像した場合には、記憶部１４は、被検体ＩＤナンバー「１２３４５」による第１データＤ１と「ＢＷモード」による第２データＤ２とを制御部３１を介して操作部２１から受け、その第１データＤ１と第２データＤ２とを関連付けて記憶する。そして、これと共に、記憶部１４は、画像生成部１３からその被検体の撮像画像の画像データを受け、同様に、その撮像画像を第１データＤ１と第２データＤ２とに関連付けて記憶する。このようにして、記憶部１４は、被検体の撮像画像を取得するたびに、被検体に関する第１データＤ１と、その被検体の撮像画像に関する第２データＤ２とを取得し、複数の第１データＤ１と、複数の第２データＤ２とをそれぞれの撮像画像に関連付けて記憶する。
【００２１】
表示部２１は、たとえば、グラフィックディスプレイ（ｇｒａｐｈｉｃ  ｄｉｓｐｌａｙ）を有しており、制御部１７からの指令に基づいて、記憶部１４が両者を関連付けて記憶する第１データＤ１と第２データＤ２とのそれぞれを対応させて表示する。具体的には、前述のように、「ＢＷモード」の撮像モードで被検体ＩＤナンバー「１２３４５」の被検体について撮像した場合であって、記憶部１４が第１データＤ１と第２データＤ２とを関連付けて記憶する場合には、表示部２１は、第１データＤ１である被検体ＩＤナンバー「１２３４５」と第２データＤ２である「ＢＷモード」とが対応するリストを表示する。また、詳細は後述するが、表示部２１に表示する因子をオペレータからの指示に基づいて選択部５２が選択する場合には、記憶部１４が記憶する複数因子からなる第１データＤ１と第２データＤ２とのうち、表示部２１は、その選択部５２により選択された因子について表示する。また、オペレータの操作に基づいて、記憶部１４によって記憶されている第１データＤ１と第２データＤ２とを編集部５１が編集する場合には、表示部２１は、編集部５１により編集された第１データＤ１と第２データＤ２とを表示する。たとえば、編集部５１が前述の被検体ＩＤナンバー「１２３４５」を「１２３４６」に変更するように編集する場合には、その編集された第１データＤ１である被検体ＩＤナンバー「１２３４６」を、第２データＤ２である「ＢＷモード」とに対応するよう表示する。また、表示部２１は、画像生成部１３に接続されており、制御部１７からの指令に基づいて、画像生成部１３が生成する画像を表示画面にリアルタイムに表示する。
【００２２】
制御部３１は、コンピュータにより構成されており、超音波プローブ１１と、送受信部１２と、画像生成部１３と、記憶部１４と、表示部２１とを制御する。制御部３１は、操作部４１に接続されており、操作部４１からの操作信号に基づいて、各部に制御信号を与え動作を制御する。
【００２３】
操作部４１は、たとえば、キーボードなどの入力装置により構成されている。操作部４１は、オペレータからの操作情報が入力され、それに基づいて制御部３１に操作信号を出力する。また、操作部４１は、編集部５１と選択部５２とを有する。
【００２４】
編集部５１は、操作部４１に入力されたオペレータの操作情報に基づいて、記憶部１４が記憶する第１データＤ１と第２データＤ２とを編集する。具体的には、前述のように、記憶部１４が、第１データＤ１である被検体ＩＤナンバー「１２３４５」と第２データＤ２である「ＢＷモード」とを関連付けて記憶する場合には、編集部５１が、被検体ＩＤナンバー「１２３４５」を「１２３４６」に変更するように編集し、その編集された第１データＤ１である被検体ＩＤナンバー「１２３４６」を、第２データＤ２である「ＢＷモード」とに関連付けて、記憶部１４に記憶させる。
【００２５】
選択部５２は、操作部４１に入力されたオペレータの指示に基づいて、記憶部４１が記憶する複数因子からなる第１データＤ１と第２データＤ２とのうち、表示部２１に表示する因子を選択する。第１データＤ１と第２データＤ２とから所定の因子のデータが選択された場合、表示部２１は、その選択された第１データＤ１と第２データＤ２とを、それぞれを対応させてリストとし表示する。具体的には、第１データＤ１である被検体ＩＤナンバー「１２３４５」と第２データＤ２である「ＢＷモード」などの「撮影モード」との２つ因子をリストとして表示する場合、選択部５２は、オペレータの指示に基づいて、記憶部４１が記憶する複数因子からなる第１データＤ１と第２データＤ２とのうち、被検体ＩＤナンバーと撮影モードとの２つの因子を各データから選択する。
【００２６】
なお、上記の本実施形態における記憶部１４は、本発明の記憶部に相当する。また、本実施形態の表示部２１は、本発明の表示部に相当する。また、本実施形態の編集部５１は、本発明の編集部に相当する。
【００２７】
以下より、本発明にかかる実施形態の超音波診断装置１の動作について説明する。
【００２８】
図２は、本実施形態において超音波診断装置の動作について示すフロー図である。
【００２９】
図２に示すように、被検体に関する第１データＤ１と、その被検体の撮像画像に関する第２データＤ２とを関連付けて記憶する（Ｓ１１）。
【００３０】
ここでは、被検体に関する第１データＤ１として、たとえば、被検体ＩＤナンバー「１２３４５」が、オペレータによって操作部４１に入力され、そして、その被検体の撮像を実施する際に、たとえば、「ＢＷモード」での撮像モードで撮像を開始する指示が、撮像画像に関する第２データＤ２として、オペレータによって操作部４１に入力される。そして、記憶部１４が、その操作部４１に入力された被検体ＩＤナンバー「１２３４５」の第１データＤ１と、撮像モードである「ＢＷモード」の第２データＤ２とを、制御部１７を介して受け取り、それぞれを関連付けて記憶する。なお、記憶部１４は、被検体に関する第１データＤ１として、被検体ＩＤナンバーの他、氏名、生年月日、性別などの複数の因子に関するデータを、操作部４１から制御部３１を介して受け取って記憶する。そして、記憶部１４は、その被検体の撮像画像に関する第２データＤ２として、撮像モードの他、撮像時の超音波探触子の種類、撮像部位名称、撮像時間、ビデオ録画の有無、撮像画像のプリント枚数やプリントモードなどの複数因子のデータを、操作部４１から制御部３１を介して受け取り、それぞれについて記憶する。
【００３１】
そして、超音波プローブ１１を被検体の撮影個所に接触させ、送受信部１２が超音波プローブ１１を用いて被検体の内部を音線順次にスキャンしてエコー信号を受信し、画像生成部１３に出力する。そして、送受信部１２が出力するエコー信号を画像生成部１３が対数増幅した後に包絡線を検波し、Ｂモードの画像を生成する。そして、記憶部１４は、画像生成部１３によって生成された撮像画像を、被検体に関する第１データＤ１とその被検体の撮像画像に関する第２データＤ２との両者に関連付けて記憶する。
【００３２】
つぎに、被検体に関する第１データＤ１と、その被検体の撮像画像に関する第２データＤ２とを、互いが対応するように表示する（Ｓ２１）。
【００３３】
ここでは、操作部４１に入力されたオペレータの指示に基づいて、記憶部４１が記憶する複数因子からなる第１データＤ１と第２データＤ２とのうち、表示部２１に表示する因子を選択部５２が選択する。第１データＤ１と第２データＤ２とから所定の因子のデータが選択された場合、表示部２１は、その選択された第１データＤ１と第２データＤ２とを、それぞれを対応させてリストとして表示する。具体的には、第１データＤ１である被検体ＩＤナンバー「１２３４５」と第２データＤ２である「ＢＷモード」などの「撮影モード」との２つ因子をリストとして表示する場合、選択部５２は、オペレータの指示に基づいて、記憶部４１が記憶する複数因子からなる第１データＤ１と第２データＤ２とのうち、被検体ＩＤナンバーと撮影モードとの２つの因子を各データから選択する。
【００３４】
図３は、本実施形態において、表示部２１が、被検体に関する第１データＤ１と、その被検体の撮像画像に関する第２データＤ２とを表示する画像を示す図である。
【００３５】
たとえば、図３に示すように、被検体に関する第１データＤ１として、被検体ＩＤナンバーＤ１１、氏名Ｄ１２、生年月日Ｄ１３、性別Ｄ１４などの複数因子について選択部５２が選択し、表示部２１がそれぞれを表示する。また、表示部２１は、その被検体の撮像画像に関する第２データＤ２として撮像モードＤ２１とＣＦＭプリント枚数Ｄ２２との因子を選択する。そして、撮像モードＤ２１として、ＢＷモード，ＣＦＭモード，ＰＤＩモード，Ｂ−Ｆｌｏｗモード，ＣＨＡモード，ＡＤモードなどについて、それぞれ表示する。また、たとえば、ＣＦＭモードの撮像画像枚数Ｄ２２として白黒とカラーとでのプリントモード毎のプリント枚数について、それぞれ表示する。具体的には、被検体ＩＤナンバーＤ１１の「１２３４５」においては、「ＢＷモード」の撮像モードＤ２１が行われたことを丸印（○）で示しているように、第１データＤ１と第２データＤ２とが同じ行に並ぶように対応させ、リストにして表示する。そして、たとえば、被検体ＩＤナンバーＤ１１の「１２３４５」における撮像モードＤ２１である「ＢＷモード」の撮像画像を表示部２１にオペレータが表示させる場合には、オペレータが操作部４１にその操作情報を入力し、その入力された操作情報に基づいて表示部２１が被検体ＩＤナンバー「１２３４５」における「ＢＷモード」の撮像画像を表示する。
【００３６】
そして、図３のように表示されている第１データＤ１と第２データＤ２とを変更するために編集する場合には、操作部４１にオペレータが操作情報を入力し、その操作情報に基づいて、記憶部１４が記憶する第１データＤ１と第２データＤ２とを編集部５１が編集する。具体的には、第１データＤ１である被検体ＩＤナンバー「１２３４５」と第２データＤ２である「ＢＷモード」とを記憶部１４が関連付けて記憶する場合には、編集部５１が、被検体ＩＤナンバー「１２３４５」を「１２３４６」に変更するように編集し、その編集された第１データＤ１である被検体ＩＤナンバー「１２３４６」を、第２データＤ２である「ＢＷモード」とに関連付けて、表示部２１が表示する。
【００３７】
以上のように、本実施形態によれば、被検体に関する第１データＤ１と、その被検体の撮像画像に関する第２データＤ２とを関連付けて記憶部１４が記憶し、その記憶部により関連付けて記憶された第１データＤ１と第２データＤ２とのそれぞれを対応させて表示部２１がリストとして表示する。また、オペレータからの指示に基づいて、記憶部１４が記憶する複数因子からなる第１データＤ１と第２データＤ２とのうち、表示部２１に表示する因子を選択部５２が選択し、表示部２１が、その選択部５２により選択された因子について表示する。このように、本実施形態においては、被検体ＩＤナンバー、氏名、生年月日などの被検体に関する第１データＤ１と、その被検体の撮像画像が撮像された撮像モードなどの撮像画像に関する第２データＤ２との両者について対応したリストが任意に表示されるため、第１データＤ１と第２データＤ２との両者を容易に確認できる。このため、特に、超音波診断装置などの医療画像システムにおいて、多数の撮像画像を記憶している場合であっても、撮像画像に関するデータを確認する作業が短時間になり、煩雑な作業を軽減して作業効率を向上することができる。
【図面の簡単な説明】
【００３８】
【図１】図１は、本発明にかかる実施形態の医療画像システムとしての超音波診断装置の構成を示すブロック図である。
【図２】図２は、本発明にかかる実施形態の医療画像システムとしての超音波診断装置の動作について示すフロー図である。
【図３】図３は、本発明にかかる実施形態において、表示部が、被検体に関する第１データと、その被検体の撮像画像に関する第２データを表示する画像を示す図である。
【符号の説明】
【００３９】
１：超音波診断装置、
１１：超音波プローブ、
１２：送受信部、
１３：画像生成部、
１４：記憶部、
２１：表示部、
３１：制御部、
４１：操作部、
５１：編集部、
５２：選択部
【図１】
2006014780.tif 000003
【図２】
2006014780.tif 000004
【図３】
2006014780.tif 000005